(57)【要約】【課題】複数のネットワークのうちのいずれか１つに参入しているとき、より良好な通信品質を有する他のネットワークを探索して参入することができる通信装置を提供する。【解決手段】カウンタ値は、通信装置３−１がネットワーク１００Ａに参入しているとき、他のネットワーク１００Ｂ、１００Ｃに参入している他の通信装置間の通信に係る漏れ信号を第３の通信回路３５により受信した回数を示す。制御回路３１は、各時間区間において、漏れ信号を受信したとき、カウンタ値をインクリメントする。制御回路３１は、ある時間区間において、カウンタ値が第１のしきい値以上になるとき、第３の通信回路３５によりスキャン要求信号をブロードキャストする。【選択図】図５
2015201721.tif 000002
【特許請求の範囲】
【請求項１】
複数の通信装置をそれぞれ含む複数のネットワークのうちの１つに含まれる通信装置において、前記通信装置は、
他の通信装置と通信する通信回路と、
時間信号を生成するタイマと、
前記通信装置が前記複数のネットワークのうちの第１のネットワークに参入しているとき、前記複数のネットワークのうちの他のネットワークに参入している他の通信装置間の通信に係る漏れ信号を前記通信回路により受信した回数を示すカウンタ値を格納するカウンタと、
前記通信装置を制御する制御回路とを備え、
前記制御回路は、
前記時間信号に基づいて、前記通信装置が前記第１のネットワークに参入してから開始して反復される、複数の時間区間を生成し、
前記各時間区間において、前記漏れ信号を受信したとき、前記カウンタ値をインクリメントし、
ある時間区間において、前記カウンタ値が第１のしきい値以上になるとき、前記通信回路によりスキャン要求信号をブロードキャストし、
前記複数のネットワークのうちの第２のネットワークに参入している他の通信装置から、前記スキャン要求信号に対して返信されたビーコン信号であって、前記第２のネットワークの通信品質を含むビーコン信号を前記通信回路により受信したとき、前記第２のネットワークの通信品質を前記第１のネットワークの通信品質に対して比較することを特徴とする通信装置。
【請求項２】
前記制御回路は、前記各時間区間において、前記漏れ信号を受信しなかったとき、前記カウンタ値をデクリメントすることを特徴とする請求項１記載の通信装置。
【請求項３】
複数の通信装置をそれぞれ含む複数のネットワークのうちの１つに含まれる通信装置において、前記通信装置は、
他の通信装置と通信する通信回路と、
時間信号を生成するタイマと、
前記通信装置が前記複数のネットワークのうちの第１のネットワークに参入しているとき、前記複数のネットワークのうちの他のネットワークに参入している他の通信装置間の通信に係る漏れ信号を前記通信回路により受信した回数を示すカウンタ値を格納するカウンタと、
前記通信装置を制御する制御回路とを備え、
前記制御回路は、
前記時間信号に基づいて、前記通信装置が前記第１のネットワークに参入してから開始して反復される、複数の時間区間を生成し、
前記各時間区間において、前記漏れ信号を受信したとき、前記カウンタ値をインクリメントし、
前記制御回路は、ある時間区間において、当該時間区間の直前の時間区間で前記漏れ信号を受信して前記カウンタ値をインクリメントしたとき、前記通信回路により前記スキャン要求信号をブロードキャストし、
前記複数のネットワークのうちの第２のネットワークに参入している他の通信装置から、前記スキャン要求信号に対して返信されたビーコン信号であって、前記第２のネットワークの通信品質を含むビーコン信号を前記通信回路により受信したとき、前記第２のネットワークの通信品質を前記第１のネットワークの通信品質に対して比較することを特徴とする通信装置。
【請求項４】
複数の通信装置をそれぞれ含む複数のネットワークのうちの１つに含まれる通信装置において、前記通信装置は、
他の通信装置と通信する通信回路と、
時間信号を生成するタイマと、
前記通信装置が前記複数のネットワークのうちの第１のネットワークに参入しているとき、前記複数のネットワークのうちの他のネットワークに参入している他の通信装置間の通信に係る漏れ信号を前記通信回路により受信した回数を示すカウンタ値を格納するカウンタと、
前記通信装置を制御する制御回路とを備え、
前記制御回路は、
前記時間信号に基づいて、前記通信装置が前記第１のネットワークに参入してから開始して反復される、複数の時間区間を生成し、
前記各時間区間において、前記漏れ信号を受信したとき、前記カウンタ値をインクリメントし、
前記制御回路は、ある時間区間において、当該時間区間に先行する予め決められた個数の連続した時間区間で前記漏れ信号をそれぞれ受信して前記カウンタ値をそれぞれインクリメントしたとき、前記通信回路により前記スキャン要求信号をブロードキャストし、
前記複数のネットワークのうちの第２のネットワークに参入している他の通信装置から、前記スキャン要求信号に対して返信されたビーコン信号であって、前記第２のネットワークの通信品質を含むビーコン信号を前記通信回路により受信したとき、前記第２のネットワークの通信品質を前記第１のネットワークの通信品質に対して比較することを特徴とする通信装置。
【請求項５】
前記通信装置は、前記各ネットワークの各通信装置に関連付けられた前記各ネットワークの通信品質を記録するスキャン結果テーブルを格納するメモリをさらに備え、
前記制御回路は、
前記各ネットワークの各通信装置から、前記スキャン要求信号に対して返信されたビーコン信号であって、前記ビーコン信号の送信元の通信装置に関連付けられた、前記ビーコン信号の送信元の通信装置が参入しているネットワークの通信品質を含むビーコン信号を前記通信回路により受信したとき、前記ビーコン信号の送信元の通信装置に関連付けて、前記ビーコン信号の送信元の通信装置が参入しているネットワークの通信品質を前記スキャン結果テーブルに記録し、
前記各時間区間において、前記スキャン結果テーブルに記録された通信装置のうちの、前記第１のネットワークの各通信装置の通信品質よりも高い通信品質を有する他のネットワークの他の通信装置から前記漏れ信号を受信したとき、前記カウンタ値をインクリメントすることを特徴とする請求項１〜４のうちの１つに記載の通信装置。
【請求項６】
前記通信装置は、前記各ネットワークの各通信装置に関連付けられた前記各ネットワークの通信品質を記録するスキャン結果テーブルを格納するメモリをさらに備え、
前記制御回路は、
前記各ネットワークの各通信装置から、前記スキャン要求信号に対して返信されたビーコン信号であって、前記ビーコン信号の送信元の通信装置に関連付けられた、前記ビーコン信号の送信元の通信装置が参入しているネットワークの通信品質を含むビーコン信号を前記通信回路により受信したとき、前記ビーコン信号の送信元の通信装置に関連付けて、前記ビーコン信号の送信元の通信装置が参入しているネットワークの通信品質を前記スキャン結果テーブルに記録し、
前記各時間区間において、前記スキャン結果テーブルに記録されていない他のネットワークに参入している他の通信装置から前記漏れ信号を受信したとき、前記カウンタ値をインクリメントすることを特徴とする請求項１〜５のうちの１つに記載の通信装置。
【請求項７】
前記通信装置は、前記各ネットワークの各通信装置に関連付けられた前記各ネットワークの通信品質を記録するスキャン結果テーブルを格納するメモリをさらに備え、
前記制御回路は、
前記各ネットワークの各通信装置から、前記スキャン要求信号に対して返信されたビーコン信号であって、前記ビーコン信号の送信元の通信装置に関連付けられた、前記ビーコン信号の送信元の通信装置が参入しているネットワークの通信品質を含むビーコン信号を前記通信回路により受信したとき、前記ビーコン信号の送信元の通信装置に関連付けて、前記ビーコン信号の送信元の通信装置が参入しているネットワークの通信品質を前記スキャン結果テーブルに記録し、
前記各時間区間において、前記複数のネットワークのうちの他のネットワークの複数の通信装置を管理する管理装置として動作する通信装置であって、前記スキャン結果テーブルに記録されていない通信装置から前記漏れ信号を受信したとき、前記カウンタ値をインクリメントすることを特徴とする請求項１〜６のうちの１つに記載の通信装置。
【請求項８】
前記制御回路は、前記各時間区間において、前記漏れ信号を受信し、前記漏れ信号の受信品質が第２のしきい値を超えるとき、前記カウンタ値をインクリメントすることを特徴とする請求項１〜７のうちの１つに記載の通信装置。
【請求項９】
前記制御回路は、前記各時間区間において、第３のしきい値を超える個数の前記漏れ信号を受信したとき、前記カウンタ値をインクリメントすることを特徴とする請求項１〜８のうちの１つに記載の通信装置。
【請求項１０】
請求項１〜９のうちの１つに記載の通信装置としてそれぞれ動作する複数の第１の通信装置と、
前記複数の第１の通信装置を管理する管理装置として動作する少なくとも１つの第２の通信装置とを含むことを特徴とする通信システム。
【発明の詳細な説明】
【技術分野】
【０００１】
本発明は、通信機能を備えた検針装置などを含む通信システムにおいて用いられる通信装置に関する。本発明はまた、そのような通信装置を含む通信システムに関する。
【背景技術】
【０００２】
近年、通信機能を備えた電力量などの検針装置（いわゆる「スマートメーター」）が導入されつつある（特許文献１〜４を参照）。
【０００３】
検針装置は、電力線通信（ＰＬＣ）又は無線を通信媒体として用いて電力会社と通信する。このとき、検針装置と電力会社との間に、複数の検針装置を管理する管理装置（コンセントレータ）が設けられる場合がある。管理装置は、その管理下の複数の検針装置とともに、ネットワークを構成する。管理装置は、複数の検針装置から当該検針装置が設けられた住宅又は住戸の消費電力量を収集して電力会社に送る。
【０００４】
検針装置は、住宅又は住戸に新たに設置されたとき、近傍の管理装置のネットワークに参入する。このため、設置された新たな検針装置は、最初に、スキャン要求信号をブロードキャストで送信する。管理装置（又は管理装置の管理下の他の検針装置）は、スキャン要求信号を受信したとき、ビーコン信号を新たな検針装置に返信する。新たな検針装置は、受信したビーコン信号に基づいて管理装置のネットワークの通信品質を判断し、通信品質が予め決められた基準を満たすとき、管理装置のネットワークに参入する。
【先行技術文献】
【特許文献】
【０００５】
【特許文献１】特開２０１２−１７５６８８号公報
【特許文献２】特開２０１３−１８３２０１号公報
【特許文献３】特開２０１３−１８７８４９号公報
【特許文献４】特開２０１３−２１１８１５号公報
【発明の概要】
【発明が解決しようとする課題】
【０００６】
検針装置が管理装置のネットワークに参入した後で、電力線又は無線のノイズの変動などに起因して、管理装置のネットワークの通信品質が低下することがある。この場合、検針装置は、より良好な通信品質を有する他の管理装置のネットワークを探索して参入できることが望ましい。従って、このような検針装置として使用可能な通信装置を提供することが望ましい。
【０００７】
本発明の目的は、複数のネットワークのうちのいずれか１つに参入しているとき、より良好な通信品質を有する他のネットワークを探索して参入することができる通信装置を提供することにある。また、本発明の目的は、そのような通信装置を含む通信システムを提供することにある。
【課題を解決するための手段】
【０００８】
本発明の第１の態様に係る通信装置によれば、複数の通信装置をそれぞれ含む複数のネットワークのうちの１つに含まれる通信装置であって、以下の構成を備えた通信装置が提供される。通信装置は、通信回路、タイマ、カウンタ、及び制御回路を備える。通信回路は、他の通信装置と通信する。タイマは、時間信号を生成する。カウンタは、通信装置が複数のネットワークのうちの第１のネットワークに参入しているとき、複数のネットワークのうちの他のネットワークに参入している他の通信装置間の通信に係る漏れ信号を通信回路により受信した回数を示すカウンタ値を格納する。制御回路は、通信装置を制御する。制御回路は、時間信号に基づいて、通信装置が第１のネットワークに参入してから開始して反復される、複数の時間区間を生成する。制御回路は、各時間区間において、漏れ信号を受信したとき、カウンタ値をインクリメントする。制御回路は、ある時間区間において、カウンタ値が第１のしきい値以上になるとき、通信回路によりスキャン要求信号をブロードキャストする。制御回路は、複数のネットワークのうちの第２のネットワークに参入している他の通信装置から、スキャン要求信号に対して返信されたビーコン信号であって、第２のネットワークの通信品質を含むビーコン信号を通信回路により受信する。このとき、制御回路は、第２のネットワークの通信品質を第１のネットワークの通信品質に対して比較する。
【０００９】
本発明の第２の態様に係る通信装置によれば、第１の態様に係る通信装置において、制御回路は、各時間区間において、漏れ信号を受信しなかったとき、カウンタ値をデクリメントする。
【００１０】
本発明の第３の態様に係る通信装置によれば、複数の通信装置をそれぞれ含む複数のネットワークのうちの１つに含まれる通信装置であって、以下の構成を備えた通信装置が提供される。通信装置は、通信回路、タイマ、カウンタ、及び制御回路を備える。通信回路は、他の通信装置と通信する。タイマは、時間信号を生成する。カウンタは、通信装置が複数のネットワークのうちの第１のネットワークに参入しているとき、複数のネットワークのうちの他のネットワークに参入している他の通信装置間の通信に係る漏れ信号を通信回路により受信した回数を示すカウンタ値を格納する。制御回路は、通信装置を制御する。制御回路は、時間信号に基づいて、通信装置が第１のネットワークに参入してから開始して反復される、複数の時間区間を生成する。制御回路は、各時間区間において、漏れ信号を受信したとき、カウンタ値をインクリメントする。制御回路は、ある時間区間において、当該時間区間の直前の時間区間で漏れ信号を受信してカウンタ値をインクリメントしたとき、通信回路によりスキャン要求信号をブロードキャストする。制御回路は、複数のネットワークのうちの第２のネットワークに参入している他の通信装置から、スキャン要求信号に対して返信されたビーコン信号であって、第２のネットワークの通信品質を含むビーコン信号を通信回路により受信する。このとき、制御回路は、第２のネットワークの通信品質を第１のネットワークの通信品質に対して比較する。
【００１１】
本発明の第４の態様に係る通信装置によれば、複数の通信装置をそれぞれ含む複数のネットワークのうちの１つに含まれる通信装置であって、以下の構成を備えた通信装置が提供される。通信装置は、通信回路、タイマ、カウンタ、及び制御回路を備える。通信回路は、他の通信装置と通信する。タイマは、時間信号を生成する。カウンタは、通信装置が複数のネットワークのうちの第１のネットワークに参入しているとき、複数のネットワークのうちの他のネットワークに参入している他の通信装置間の通信に係る漏れ信号を通信回路により受信した回数を示すカウンタ値を格納する。制御回路は、通信装置を制御する。制御回路は、時間信号に基づいて、通信装置が第１のネットワークに参入してから開始して反復される、複数の時間区間を生成する。制御回路は、各時間区間において、漏れ信号を受信したとき、カウンタ値をインクリメントする。制御回路は、ある時間区間において、当該時間区間に先行する予め決められた個数の連続した時間区間で漏れ信号をそれぞれ受信してカウンタ値をそれぞれインクリメントしたとき、通信回路によりスキャン要求信号をブロードキャストする。制御回路は、複数のネットワークのうちの第２のネットワークに参入している他の通信装置から、スキャン要求信号に対して返信されたビーコン信号であって、第２のネットワークの通信品質を含むビーコン信号を通信回路により受信する。このとき、制御回路は、第２のネットワークの通信品質を第１のネットワークの通信品質に対して比較する。
【００１２】
本発明の第５の態様に係る通信装置によれば、第１〜第４のうちの１つの態様に係る通信装置において、以下の構成を備える。通信装置は、各ネットワークの各通信装置に関連付けられた各ネットワークの通信品質を記録するスキャン結果テーブルを格納するメモリをさらに備える。制御回路は、各ネットワークの各通信装置から、スキャン要求信号に対して返信されたビーコン信号を通信回路により受信する。このビーコン信号は、ビーコン信号の送信元の通信装置に関連付けられた、ビーコン信号の送信元の通信装置が参入しているネットワークの通信品質を含む。制御回路は、このビーコン信号を通信回路により受信したとき、ビーコン信号の送信元の通信装置に関連付けて、ビーコン信号の送信元の通信装置が参入しているネットワークの通信品質をスキャン結果テーブルに記録する。制御回路は、各時間区間において、スキャン結果テーブルに記録された通信装置のうちの、第１のネットワークの各通信装置の通信品質よりも高い通信品質を有する他のネットワークの他の通信装置から漏れ信号を受信したとき、カウンタ値をインクリメントする。
【００１３】
本発明の第６の態様に係る通信装置によれば、第１〜第５のうちの１つの態様に係る通信装置において、以下の構成を備える。通信装置は、各ネットワークの各通信装置に関連付けられた各ネットワークの通信品質を記録するスキャン結果テーブルを格納するメモリをさらに備える。制御回路は、各ネットワークの各通信装置から、スキャン要求信号に対して返信されたビーコン信号を通信回路により受信する。このビーコン信号は、ビーコン信号の送信元の通信装置に関連付けられた、ビーコン信号の送信元の通信装置が参入しているネットワークの通信品質を含む。制御回路は、このビーコン信号を通信回路により受信したとき、ビーコン信号の送信元の通信装置に関連付けて、ビーコン信号の送信元の通信装置が参入しているネットワークの通信品質をスキャン結果テーブルに記録する。制御回路は、各時間区間において、スキャン結果テーブルに記録されていない他のネットワークに参入している他の通信装置から漏れ信号を受信したとき、カウンタ値をインクリメントする。
【００１４】
本発明の第７の態様に係る通信装置によれば、第１〜第６のうちの１つの態様に係る通信装置において、以下の構成を備える。通信装置は、各ネットワークの各通信装置に関連付けられた各ネットワークの通信品質を記録するスキャン結果テーブルを格納するメモリをさらに備える。制御回路は、各ネットワークの各通信装置から、スキャン要求信号に対して返信されたビーコン信号を通信回路により受信する。このビーコン信号は、ビーコン信号の送信元の通信装置に関連付けられた、ビーコン信号の送信元の通信装置が参入しているネットワークの通信品質を含む。制御回路は、このビーコン信号を通信回路により受信したとき、ビーコン信号の送信元の通信装置に関連付けて、ビーコン信号の送信元の通信装置が参入しているネットワークの通信品質をスキャン結果テーブルに記録する。制御回路は、各時間区間において、他のネットワークの複数の通信装置を管理する管理装置として動作する通信装置であって、スキャン結果テーブルに記録されていない通信装置から漏れ信号を受信したとき、カウンタ値をインクリメントする。
【００１５】
本発明の第８の態様に係る通信装置によれば、第１〜第７のうちの１つの態様に係る通信装置において、制御回路は、各時間区間において、漏れ信号を受信し、漏れ信号の受信品質が第２のしきい値を超えるとき、カウンタ値をインクリメントする。
【００１６】
本発明の第９の態様に係る通信装置によれば、第１〜第８のうちの１つの態様に係る通信装置において、制御回路は、各時間区間において、第３のしきい値を超える個数の漏れ信号を受信したとき、カウンタ値をインクリメントする。
【００１７】
本発明の第１０の態様に係る通信システムによれば、第１〜第９のうちの１つの態様に係る通信装置としてそれぞれ動作する複数の第１の通信装置と、前記複数の第１の通信装置を管理する管理装置として動作する少なくとも１つの第２の通信装置とを含む。
【００１８】
本発明の第１１の態様に係る通信方法によれば、複数の通信装置をそれぞれ含む複数のネットワークのうちの１つに含まれる通信装置のための通信方法が提供される。通信装置は、通信回路、タイマ、カウンタ、及び制御回路を備える。通信回路は、他の通信装置と通信する。タイマは、時間信号を生成する。カウンタは、通信装置が複数のネットワークのうちの第１のネットワークに参入しているとき、複数のネットワークのうちの他のネットワークに参入している他の通信装置間の通信に係る漏れ信号を通信回路により受信した回数を示すカウンタ値を格納する。制御回路は、以下のステップを実行し、通信装置を制御する。通信方法は、時間信号に基づいて、通信装置が第１のネットワークに参入してから開始して反復される、複数の時間区間を生成するステップを含む。通信方法は、各時間区間において、漏れ信号を受信したとき、カウンタ値をインクリメントするステップを含む。通信方法は、ある時間区間において、カウンタ値が第１のしきい値以上になるとき、通信回路によりスキャン要求信号をブロードキャストするステップを含む。通信方法は、複数のネットワークのうちの第２のネットワークに参入している他の通信装置から、スキャン要求信号に対して返信されたビーコン信号であって、第２のネットワークの通信品質を含むビーコン信号を通信回路により受信するステップを含む。通信方法は、第２のネットワークの通信品質を第１のネットワークの通信品質に対して比較するステップを含む。
【００１９】
本発明の第１２の態様に係るプログラムによれば、複数の通信装置をそれぞれ含む複数のネットワークのうちの１つに含まれる通信装置のためのプログラムが提供される。通信装置は、通信回路、タイマ、カウンタ、及び制御回路を備える。通信回路は、他の通信装置と通信する。タイマは、時間信号を生成する。カウンタは、通信装置が複数のネットワークのうちの第１のネットワークに参入しているとき、複数のネットワークのうちの他のネットワークに参入している他の通信装置間の通信に係る漏れ信号を通信回路により受信した回数を示すカウンタ値を格納する。制御回路は、以下のステップを実行し、通信装置を制御する。プログラムは、時間信号に基づいて、通信装置が第１のネットワークに参入してから開始して反復される、複数の時間区間を生成するステップを含む。プログラムは、各時間区間において、漏れ信号を受信したとき、カウンタ値をインクリメントするステップを含む。プログラムは、ある時間区間において、カウンタ値が第１のしきい値以上になるとき、通信回路によりスキャン要求信号をブロードキャストするステップを含む。プログラムは、複数のネットワークのうちの第２のネットワークに参入している他の通信装置から、スキャン要求信号に対して返信されたビーコン信号であって、第２のネットワークの通信品質を含むビーコン信号を通信回路により受信するステップを含む。プログラムは、第２のネットワークの通信品質を第１のネットワークの通信品質に対して比較するステップを含む。
【発明の効果】
【００２０】
本発明によれば、複数のネットワークのうちのいずれか１つに参入しているとき、より良好な通信品質を有する他のネットワークを探索して参入することができる通信装置を提供することができる。
【図面の簡単な説明】
【００２１】
【図１】本発明の第１の実施形態に係る通信システムを示すブロック図である。
【図２】図１の管理装置２Ａの構成を示すブロック図である。
【図３】図１の検針装置３−１の構成を示すブロック図である。
【図４】図１のネットワーク１００Ａに検針装置３−３が参入するときの比較例の動作を示すシーケンス図である。
【図５】図１のネットワーク１００Ａに検針装置３−３が参入するときの実施例の動作を示すシーケンス図である。
【図６】検針装置３−３の制御回路３１によって実行される第１のアクティブスキャン処理を示すフローチャートである。
【図７】検針装置３−３の制御回路３１によって実行される第２のアクティブスキャン処理を示すフローチャートである。
【図８】検針装置３−３の制御回路３１によって実行される第３のアクティブスキャン処理を示すフローチャートである。
【図９】本発明の第２の実施形態において、検針装置３−１のメモリ３２に格納されるスキャン結果テーブルを示す図である。
【発明を実施するための形態】
【００２２】
以下、図面を参照して、本発明の実施形態について説明する。各図面において、同様の構成要素は、同じ参照番号により示す。
【００２３】
第１の実施形態．
図１は、本発明の第１の実施形態に係る通信システムを示すブロック図である。図１の通信システムは、複数の検針装置３−１〜３−９と、これらの検針装置３−１〜３−９を管理する管理装置２Ａ〜２Ｃとを含む、複数の通信装置を含む。本明細書において、検針装置３−１〜３−９を「第１の通信装置」ともいい、管理装置２Ａ〜２Ｃを「第２の通信装置」ともいう。図１の通信システムは、例えば、遠隔検針システムである。各検針装置３−１〜３−９は、電力会社設備１から電力線１１を介して電力供給を受けて、各住宅又は住戸の宅内機器（図示せず）に供給する。宅内機器は、分電盤又は他の電力管理装置などである。各検針装置３−１〜３−９及び各管理装置２Ａ〜２Ｃは、無線通信の機能を有する。各管理装置２Ａ〜２Ｃは、それらの管理下の１つ又は複数の検針装置とともに、無線通信を行う別個のパーソナルエリアネットワークであるネットワーク１００Ａ〜１００Ｃをそれぞれ構成する。ネットワーク１００Ａは、管理装置２Ａ及び検針装置３−１〜３−３を含む。ネットワーク１００Ｂは、管理装置２Ｂ及び検針装置３−４、３−５、３−７を含む。ネットワーク１００Ｃは、管理装置２Ｃ及び検針装置３−６、３−８、３−９を含む。各管理装置２Ａ〜２Ｃは、それらの管理下の検針装置と直接に通信してもよく、マルチホップにより通信してもよい。各管理装置２Ａ〜２Ｃは、ネットワーク１００Ａ〜１００Ｃのコーディネータとしてそれぞれ動作する。各管理装置２Ａ〜２Ｃは、通信線１２Ａ〜１２Ｃを介して電力会社設備１とそれぞれ通信し、各検針装置で測定された消費電力量の情報などを電力会社に通知する。
【００２４】
図２は、図１の管理装置２Ａの構成を示すブロック図である。管理装置２Ａは、制御回路２１、メモリ２２、第１の通信回路２３、アンテナ２３ａ、及び第２の通信回路２４を備える。第１の通信回路２３は無線通信回路である。第２の通信回路２４は、例えば、電話回線、光回線、ケーブルテレビ線などを介して通信する通信回路である。制御回路２１は、第１の通信回路２３を用いて検針装置３−１〜３−９の少なくとも一部と通信し、第２の通信回路２４を用いて電力会社設備１と通信する。
【００２５】
図１の管理装置２Ｂ及び２Ｃもまた、図２の管理装置２Ａと同様に構成される。
【００２６】
図３は、図１の検針装置３−１の構成を示すブロック図である。検針装置３−１は、制御回路３１、メモリ３２、タイマ３３、カウンタ３４、第３の通信回路３５、アンテナ３５ａ、及び電力量計３６を備える。本明細書において、第３の通信回路３５を「通信回路」ともいう。第３の通信回路３５は無線通信回路である。制御回路３１は、検針装置３−１全体の動作を制御する。第３の通信回路３５は、制御回路３１の制御下で、他の通信装置の少なくとも一部、すなわち、検針装置３−２〜３−９の少なくとも一部及び管理装置２Ａ〜２Ｃの少なくとも一部と通信する。図１の例では、検針装置３−１は管理装置２Ａのネットワーク１００Ａに参入し、第３の通信回路３５は、制御回路３１の制御下で、他の検針装置３−２〜３−３及び管理装置２Ａと通信する。メモリ３２は、検針装置３−１の動作に必要な情報を格納する。タイマ３３は、時間信号を生成する。制御回路３１は、時間信号に基づいて、検針装置３−１がネットワーク１００Ａに参入してから開始して反復される、複数の時間区間を生成する。カウンタ３４は、検針装置３−１がネットワーク１００Ａに参入しているとき、他のネットワーク１００Ｂ又は１００Ｃに参入している他の通信装置間の通信に係る漏れ信号を第３の通信回路３５により受信した回数を示すカウンタ値を格納する。電力量計３６は、宅内機器（図示せず）の消費電力量を測定する。制御回路３１は、測定した消費電力量を、第３の通信回路３５を用いて管理装置２Ａに通知する。
【００２７】
図１の検針装置３−２〜３−９もまた、図２の検針装置３−１と同様に構成される。
【００２８】
次に、図４及び図５を参照して、図１の通信システムの動作について説明する。
【００２９】
図４は、図１のネットワーク１００Ａに検針装置３−３が参入するときの比較例の動作を示すシーケンス図である。検針装置３−３は、あるネットワークに参入又は再参入するとき、スキャン要求信号を送信し、これに対して返信されたビーコン信号を受信することで、参入又は再参入しようとしているネットワークの情報を取得する。検針装置３−３の制御回路３１は、ネットワーク１００Ａに参入するために、第３の通信回路３５によりスキャン要求信号をブロードキャストする（アクティブスキャン）。本明細書において、ネットワーク１００Ａを「第１のネットワーク」ともいう。検針装置３−３の制御回路３１は、ネットワーク１００Ａに参入している他の通信装置（検針装置３−１、３−２、及び／又は管理装置２Ａ）から、スキャン要求信号に対して返信されたビーコン信号を第３の通信回路３５により受信する。ビーコン信号は、その送信元の通信装置に関連付けられた、ネットワーク１００Ａの通信品質を含む。ネットワーク１００Ａの通信品質は、例えば、ビーコン信号の送信元の検針装置３−１又は３−２から管理装置２Ａまでのルートコストを含む。ネットワーク１００Ａの通信品質は、ルートコストに限らず、検針装置３−３がビーコン信号の送信元の通信装置を介してネットワーク１００Ａに参入するときの通信品質を表す他の任意のパラメータであってもよい。ビーコン信号に含まれたネットワーク１００Ａの通信品質が予め決められた基準を満たすとき、検針装置３−３の制御回路３１は、ビーコン信号の送信元の通信装置に第３の通信回路３５により参入要求信号を送信する。複数のネットワークからビーコン信号が返信された場合には、検針装置３−３の制御回路３１は、最も高い通信品質を有するネットワークの通信装置に第３の通信回路３５により参入要求信号を送信してもよい。検針装置３−３の制御回路３１は、参入要求信号に対して返信された参入許可信号を第３の通信回路３５により受信して、ネットワーク１００Ａに参入する（時刻ｔ０）。
【００３０】
検針装置３−３がネットワーク１００Ａに参入した後で、ネットワーク１００Ａの通信品質が低下することがある。また、ネットワーク１００Ａの通信品質が低下しなくても、ネットワーク１００Ａの通信品質よりも高い通信品質を有する他のネットワークが存在している可能性がある。これらの場合、検針装置３−３は、ネットワーク１００Ａの通信品質よりも高い通信品質を有する他のネットワークを探索して参入できることが望ましい。このため、例えば図４に示すように、一定の期間Ｔ１ごとにアクティブスキャンを実行することが考えられる。時刻ｔ０から期間Ｔ１が経過したとき（時刻ｔ１）、検針装置３−３の制御回路３１は、第３の通信回路３５によりスキャン要求信号をブロードキャストする（アクティブスキャン）。図４の例では、ネットワーク１００Ａの他のネットワークからビーコン信号が返信されないので、検針装置３−３は他のネットワークに再参入することはできない。時刻ｔ１から期間Ｔ１が経過したとき（時刻ｔ２）、検針装置３−３の制御回路３１は、第３の通信回路３５によりスキャン要求信号をブロードキャストする。図４の例では、ネットワーク１００Ｂの通信装置（検針装置３−４、３−５、３−７及び管理装置２Ｂ）からビーコン信号が返信されるが、ネットワーク１００Ａの通信品質よりも高い通信品質を含むビーコン信号はない。本明細書において、ネットワーク１００Ｂを「第２のネットワーク」ともいう。ネットワーク１００Ｂの通信品質はネットワーク１００Ａの通信品質より高くないので、検針装置３−３はネットワーク１００Ｂに再参入することはない。時刻ｔ２から期間Ｔ１が経過したとき（時刻ｔ３）、検針装置３−３の制御回路３１は、第３の通信回路３５によりスキャン要求信号をブロードキャストする。図４の例では、ネットワーク１００Ｂの通信装置からビーコン信号が返信され、ネットワーク１００Ｂの通信品質はネットワーク１００Ａの通信品質より高い。従って、検針装置３−３は、ネットワーク１００Ａから離脱してネットワーク１００Ｂに再参入する。
【００３１】
図４の動作では、ネットワーク１００Ａの通信品質より高い通信品質を有する他のネットワークが存在していなくても、アクティブスキャンを定期的に実行している。アクティブスキャンを高頻度で行うと、通信トラフィックが大きくなり、本来のデータ通信に影響する可能性がある。特に、他のネットワークと通信可能ではないときにアクティブスキャンを実行すると、無駄が大きい。また、アクティブスキャンを行う頻度を下げると、ネットワーク１００Ａの通信品質よりも高い通信品質を有する他のネットワークを探索して再参入するまでに時間がかかる。従って、通信トラフィックの増大を抑えながら、より良好な通信品質を有する他のネットワークを効率的に探索して参入できることが望ましい。
【００３２】
図５は、図１のネットワーク１００Ａに検針装置３−３が参入するときの実施例の動作を示すシーケンス図である。検針装置３−３の制御回路３１は、図４の動作と同様にアクティブスキャンを行ってネットワーク１００Ａに参入する（時刻ｔ１０）。検針装置３−３の制御回路３１は、検針装置３−３がネットワーク１００Ａに参入してから開始して反復される、複数の時間区間ｔ１０〜ｔ１１、ｔ１１〜ｔ１２、…を生成する。各時間区間は、例えば一定の期間Ｔ１（例えば３０分）を有する。検針装置３−３の制御回路３１は、各時間区間の最初に、カウンタ３４のカウンタ値に基づいて、アクティブスキャンの要否を判断する。前述のように、カウンタ値は、検針装置３−１がネットワーク１００Ａに参入しているとき、他のネットワーク１００Ｂ又は１００Ｃに参入している他の通信装置間の通信に係る漏れ信号を第３の通信回路３５により受信した回数を示す。検針装置３−３の制御回路３１は、各時間区間において、漏れ信号を受信したとき、カウンタ値をインクリメントする。検針装置３−３の制御回路３１は、ある時間区間において、当該時間区間に先行する予め決められた個数の時間区間にわたって予め決められた個数の漏れ信号を受信したとき、第３の通信回路３５からスキャン要求信号をブロードキャストする（アクティブスキャン）。予め決められた個数の時間区間は、例えば、カウンタ３４を起動してから、又はリセットしてから、現在の時間区間までの全時間区間であってもよい。図５の例では、時刻ｔ１０からの時間区間では漏れ信号を受信していないので、時刻ｔ１１からの時間区間ではアクティブスキャンを実行しない。図５の例では、時刻ｔ１１からの時間区間で漏れ信号を受信しているので、時刻ｔ１２からの時間区間でアクティブスキャンを実行する。検針装置３−３の制御回路３１は、ネットワーク１００Ｂに参入している他の通信装置から、スキャン要求信号に対して返信されたビーコン信号であって、ネットワーク１００Ｂの通信品質を含むビーコン信号を第３の通信回路３５により受信する。このとき、検針装置３−３の制御回路３１は、ネットワーク１００Ｂの通信品質をネットワーク１００Ａの通信品質に対して比較する。検針装置３−３の制御回路３１は、ネットワーク１００Ｂの通信品質がネットワーク１００Ａの通信品質よりも高いとき、検針装置３−３をネットワーク１００Ａから離脱してネットワーク１００Ｂに参入させるように制御する。
【００３３】
図５の動作によれば、検針装置３−３と通信可能な他のネットワークが存在しないときに、無駄なアクティブスキャンを行うことを抑制することができる。従って、通信トラフィックの増大を抑えながら、より良好な通信品質を有する他のネットワークを効率的に探索して参入することができる。
【００３４】
カウンタ値は、図５に示すようにネットワーク１００Ｂに参入している他の通信装置間の通信に係る漏れ信号だけでなく、他のネットワーク１００Ｃ（又はその他）に参入している他の通信装置間の通信に係る漏れ信号を受信した回数を示してもよい。カウンタ値は、漏れ信号の送信元のネットワークを区別しても、区別しなくてもよい。漏れ信号の送信元のネットワークを区別しない場合であっても、複数の他のネットワークから漏れ信号を頻繁に受信していれば、他のネットワークのいずれかに再参入可能であることが期待される。
【００３５】
検針装置３−３の制御回路３１は、アクティブスキャンの要否を判断するために、各時間区間において、図６〜図８のいずれかのアクティブスキャン処理を実行してもよい。
【００３６】
図６は、検針装置３−３の制御回路３１によって実行される第１のアクティブスキャン処理を示すフローチャートである。図６のステップＳ１において、制御回路３１は、カウンタ値が予め決められたしきい値（第１のしきい値）以上になるか否かを判断し、ＹＥＳのときはステップＳ２に進み、ＮＯのときはステップＳ３に進む。ステップＳ２において、制御回路３１は、第３の通信回路３５によりスキャン要求信号をブロードキャストする（アクティブスキャン）。ステップＳ３において、制御回路３１は、現在の時間区間において漏れ信号を受信したか否かを判断し、ＹＥＳのときはステップＳ４に進み、ＮＯのときはステップＳ５に進む。ステップＳ４において、制御回路３１は、カウンタ値を例えば１だけインクリメントする。ステップＳ５において、制御回路３１は、現在の時間区間の期間Ｔ１が経過したか否かを判断し、ＹＥＳのときはステップＳ１に戻り（次の時間区間）、ＮＯのときはステップＳ３に戻る。
【００３７】
カウンタ値は、予め決められた個数の時間区間ごとにリセットしてもよい。例えば、図６のステップＳ１の後で、カウンタ値をリセットしてもよい。このとき、検針装置３−３の制御回路３１は、ある時間区間において、当該時間区間の直前の時間区間で漏れ信号を少なくとも１回受信してカウンタ値をインクリメントしたとき、第３の通信回路３５によりスキャン要求信号をブロードキャストしてもよい。
【００３８】
図６のアクティブスキャン処理によれば、カウンタ値がしきい値以上になるときのみ、すなわち、ネットワーク１００Ａの通信品質より高い通信品質を有する他のネットワークが存在すると期待されるときのみ、アクティブスキャンを実行することができる。従って、ネットワーク１００Ａの通信品質より高い通信品質を有する他のネットワークが存在しないときに、無駄なアクティブスキャンを行うことを抑制することができる。
【００３９】
図７は、検針装置３−３の制御回路３１によって実行される第２のアクティブスキャン処理を示すフローチャートである。図７のステップＳ１１において、制御回路３１は、カウンタ値が予め決められたしきい値以上になるか否かを判断し、ＹＥＳのときはステップＳ１２に進み、ＮＯのときはステップＳ１３に進む。ステップＳ１２において、制御回路３１は、第３の通信回路３５によりスキャン要求信号をブロードキャストする（アクティブスキャン）。ステップＳ１３において、制御回路３１は、現在の時間区間において漏れ信号を受信したか否かを判断し、ＹＥＳのときはステップＳ１４に進み、ＮＯのときはステップＳ１５に進む。ステップＳ１４において、制御回路３１は、カウンタ値を例えば１だけインクリメントする。ステップＳ１５において、制御回路３１は、カウンタ値を例えば１だけデクリメントする。ステップＳ１６において、制御回路３１は、現在の時間区間の期間Ｔ１が経過したか否かを判断し、ＹＥＳのときはステップＳ１１に戻り（次の時間区間）、ＮＯのときはステップＳ１３に戻る。
【００４０】
カウンタ値は、予め決められた個数の時間区間ごとにリセットしてもよい。
【００４１】
図７のアクティブスキャン処理によれば、漏れ信号を受信しなかったときカウンタ値をデクリメントするので、検針装置３−３と通信可能な他のネットワークが存在しないときに、無駄なアクティブスキャンを行うことを抑制することができる。
【００４２】
図８は、検針装置３−３の制御回路３１によって実行される第３のアクティブスキャン処理を示すフローチャートである。図８のステップＳ２１において、制御回路３１は、現在の時間区間に先行する予め決められた個数（例えば２つ）の連続した時間区間で漏れ信号をそれぞれ受信したか否かを判断し、ＹＥＳのときはステップＳ２２に進み、ＮＯのときはステップＳ２３に進む。ステップＳ２２において、制御回路３１は、第３の通信回路３５によりスキャン要求信号をブロードキャストする（アクティブスキャン）。ステップＳ２３において、制御回路３１は、現在の時間区間において漏れ信号を受信したか否かを判断し、ＹＥＳのときはステップＳ２４に進み、ＮＯのときはステップＳ２５に進む。ステップＳ２４において、制御回路３１は、カウンタ値を例えば１だけインクリメントする。ステップＳ２５において、制御回路３１は、カウンタ値をリセットする。ステップＳ２６において、制御回路３１は、現在の時間区間の期間Ｔ１が経過したか否かを判断し、ＹＥＳのときはステップＳ２１に戻り（次の時間区間）、ＮＯのときはステップＳ２６を繰り返す。
【００４３】
図８のステップＳ２１では、カウンタ値が予め決められた連続した時間区間の個数（例えば２つ）に等しいとき、現在の時間区間に先行する予め決められた個数の連続した時間区間で漏れ信号をそれぞれ受信したと判断する。検針装置３−３の制御回路３１は、各時間区間で漏れ信号を受信した回数を示す第１のカウンタ値と、漏れ信号を受信した連続した時間区間の個数を示す第２のカウンタ値とを別個に計数してもよい。このとき、制御回路は、ある時間区間において、当該時間区間に先行する予め決められた個数の連続した時間区間で漏れ信号をそれぞれ受信してカウンタ値をそれぞれインクリメントしたとき、通信回路によりスキャン要求信号をブロードキャストしてもよい。
【００４４】
図８のアクティブスキャン処理によれば、連続した時間区間で漏れ信号を受信したときのみ、すなわち、ネットワーク１００Ａの通信品質より高い通信品質を有する他のネットワークが存在すると期待されるときのみ、アクティブスキャンを実行することができる。従って、ネットワーク１００Ａの通信品質より高い通信品質を有する他のネットワークが存在しないときに、無駄なアクティブスキャンを行うことを抑制することができる。
【００４５】
検針装置３−３の制御回路３１は、各時間区間において、以下の条件が満たされるとき、カウンタ値をインクリメントしてもよい（すなわち、漏れ信号を受信したと判断してもよい）。検針装置３−３の制御回路３１は、各時間区間において、漏れ信号を第３の通信回路３５により受信し、漏れ信号の受信品質が予め決められたしきい値（第２のしきい値）を超えるとき、カウンタ値をインクリメントしてもよい。また、検針装置３−３の制御回路３１は、各時間区間において、予め決められたしきい値（第３のしきい値）を超える個数の漏れ信号を受信したとき、カウンタ値をインクリメントしてもよい。
【００４６】
第２の実施形態．
図９は、本発明の第２の実施形態において、検針装置３−１のメモリ３２に格納されるスキャン結果テーブルを示す図である。スキャン結果テーブルは、各ネットワーク１００Ａ〜１００Ｃの各通信装置（検針装置３−１〜３−９及び管理装置２Ａ〜２Ｃ）に関連付けられた各ネットワークの通信品質を記録する。ネットワークの通信品質は、例えば、ビーコン信号の送信元の通信装置から、ビーコン信号の送信元の通信装置が参入しているネットワークの管理装置までのルートコストを含む。ネットワークの通信品質は、ルートコストに限らず、検針装置３−１がビーコン信号の送信元の通信装置を介してネットワークに参入又は再参入するときの通信品質を表す他の任意のパラメータであってもよい。検針装置３−１の制御回路３１は、各ネットワークの各通信装置から、検針装置３−１が送信したスキャン要求信号に対して返信されたビーコン信号を第３の通信回路３５により受信する。このビーコン信号は、ビーコン信号の送信元の通信装置に関連付けられた、ビーコン信号の送信元の通信装置が参入しているネットワークの通信品質を含む。検針装置３−１の制御回路３１は、このビーコン信号を第３の通信回路３５により受信したとき、ビーコン信号の送信元の通信装置に関連付けて、ビーコン信号の送信元の通信装置が参入しているネットワークの通信品質をスキャン結果テーブルに記録する。
【００４７】
図９の例では、スキャン結果テーブルは、ビーコン信号の送信元の通信装置が参入しているネットワークのＩＤと、ビーコン信号の送信元の通信装置のＩＤと、ビーコン信号の送信元の通信装置のルートコストとを記録する。
【００４８】
検針装置３−１の制御回路３１は、スキャン結果テーブルに基づいて、以下の条件に従ってカウンタ値をインクリメントしてもよい。
【００４９】
制御回路３１は、各時間区間において、スキャン結果テーブルに記録された通信装置のうちの、ネットワーク１００Ａの各通信装置よりも高い通信品質を有する他のネットワークの他の通信装置から漏れ信号を受信したとき、カウンタ値をインクリメントしてもよい。これにより、検針装置３−１は、高い通信品質を有するネットワークでありながら現在参入していないネットワークに再参入するために、アクティブスキャンを実行することができる。
【００５０】
制御回路３１は、各時間区間において、スキャン結果テーブルに記録されていない他のネットワーク（例えばネットワーク１００Ｃ）に参入している他の通信装置から漏れ信号を受信したとき、カウンタ値をインクリメントしてもよい。スキャン結果テーブルに記録されていないネットワークから漏れ信号が来たとき、現在参入しているネットワークよりも高い通信品質を有するネットワークである可能性がある。従って、ネットワーク１００Ａ及びスキャン結果テーブルに記録された他のネットワークの通信品質より高い通信品質を有する他のネットワークが存在すると期待されるとき、アクティブスキャンを実行することができる。
【００５１】
制御回路３１は、各時間区間において、他のネットワークの複数の検針装置を管理する管理装置であって、スキャン結果テーブルに記録されていない管理装置から漏れ信号を受信したとき、カウンタ値をインクリメントしてもよい。ネットワークの管理装置と直接に通信することができるのであれば、良好な通信品質が期待される。従って、良好な通信品質を有する他のネットワークが存在すると期待されるとき、アクティブスキャンを実行することができる。
【００５２】
カウンタ値をインクリメントするか否かを判断するとき、これらの条件を組み合わせてもよい。
【００５３】
第２の実施形態で説明したスキャン結果テーブルに基づく動作は、第１の実施形態で説明した動作と組み合わせてもよい。
【００５４】
変形例．
検針装置３−１の制御回路３１は、各時間区間において、受信した漏れ信号の個数に応じて、カウンタ値をインクリメントするステップ幅を変化させてもよい。例えば、ある時間区間（又は、所定個数の連続した時間区間）において多数の漏れ信号を受信しているときには、早くアクティブスキャンを実行することが好ましい可能性がある。このため、ある時間区間において受信した漏れ信号の個数が予め決められたしきい値を超えるとき、カウンタ値をインクリメントするステップ幅を予め決められた量だけ増大させてもよい。
【００５５】
また、以上の説明では、カウンタ値は時間区間ごとにインクリメント（又はデクリメント）されたが、予め決められた個数の連続した時間区間にわたって漏れ信号をそれぞれ受信したときに、カウンタ値をインクリメントしてもよい。これによれば、連続した時間区間で漏れ信号を受信したときのみ、すなわち、参入しているネットワークの通信品質より高い通信品質を有する他のネットワークが存在すると期待されるときのみ、カウンタ値をインクリメントすることができる。従って、参入しているネットワークの通信品質より高い通信品質を有する他のネットワークが存在しないときに、カウンタ値の無駄なインクリメントを抑制し、結果として、無駄なアクティブスキャンを行うことを抑制することができる。
【００５６】
また、検針装置３−１の制御回路３１は、最初にネットワーク１００Ａに参入したときに、管理装置２Ａまでのルートコストが予め決められたしきい値を超える場合には、その後、漏れ信号を受信した回数をカウントしなくてもよい。ネットワーク１００Ａの通信品質が良好であれば、他のネットワークに再参入しなくてもよいと期待されるので、アクティブスキャンを実行することも不要であると考えられる。もし、ネットワーク１００Ａの通信品質が悪化したときには、検針装置３−１の制御回路３１は、予め決められた時間が経過したときに自動でリセットしてもよい。それに代わって、通信システムの管理者（ユーザ）が検針装置３−１を手動でリセットしてもよい。
【００５７】
また、第１及び第２の実施形態に係る通信システムにおいて、各検針装置３−１〜３−９及び各管理装置２Ａ〜２Ｃは、無線通信に代えてＧ３−ＰＬＣなどの電力線通信を使用してもよい。この場合、管理装置２Ａ〜２Ｃの第１の通信回路２３及び検針装置３−１〜３−９の第３の通信回路３５は、電力線通信回路である。各検針装置３−１〜３−９及び各管理装置２Ａ〜２Ｃは、１つの電力線１１又は複数の電力線（図示せず）を介して互いに接続され、当該電力線上で電力線通信を行う。
【００５８】
また、第１及び第２の実施形態で説明した各ステップは、検針装置３−１〜３−９及び管理装置２Ａ〜２Ｃのハードウェアとして実施されてもよく、それらの制御回路によって実行されるプログラムとして実施されてもよい。
【００５９】
また、図３の検針装置３−１は、電力量計３６と他の回路とが一体型の構成を示すが、電力量計３６と他の回路とは、別個のモジュールとして提供されてもよい。
【００６０】
また、第１及び第２の実施形態に係る通信システムにおいて、検針装置は、電力量の検針装置に限らず、電力線通信及び無線通信などを含む少なくとも１つの通信方式で動作可能な、ガス、水道、その他の検針装置であってもよい。
【００６１】
また、第１及び第２の実施形態に係る通信システムは、検針装置以外の他の複数の通信装置及びその管理装置から構成されてもよく、遠隔検針システム以外の通信システムであってもよい。
【符号の説明】
【００６２】
１…電力会社設備
２Ａ〜２Ｃ…管理装置
３−１〜３−９…検針装置
１１…電力線
１２Ａ〜１２Ｃ…通信線
２１…制御回路
２２…メモリ
２３…第１の通信回路
２３ａ…アンテナ
２４…第２の通信回路
３１…制御回路
３２…メモリ
３３…タイマ
３４…カウンタ
３５…第３の通信回路
３５ａ…アンテナ
３６…電力量計
１００Ａ〜１００Ｃ…ネットワーク
【図１】
2015201721.tif 000003
【図２】
2015201721.tif 000004
【図３】
2015201721.tif 000005
【図４】
2015201721.tif 000006
【図５】
2015201721.tif 000007
【図６】
2015201721.tif 000008
【図７】
2015201721.tif 000009
【図８】
2015201721.tif 000010
【図９】
2015201721.tif 000011